(57)【要約】【課題】易開封線を備えた包装袋であって、ノッチを設けなくても開封しやすい包装袋を提供すること。【解決手段】少なくとも基材層とシーラント層とが積層された包装材を製袋して作製され、少なくとも表裏の面を有する包装袋１０であって、表面側と裏面側のいずれにも複数の切れ込みＣで構成される易開封線が設けられており、切れ込みＣは、線状の本体部分Ｃａと、該本体部分Ｃａの端部寄りの箇所に連設される折り返し部分Ｃｂとで構成され、少なくともシーラント層を除き、少なくとも基材層を含むように形成されている。開封時に易開封線のところで引き裂こうとすると、易開封線を形成する切れ込みＣの折り返し部分Ｃｂに応力が集中するため、ノッチを設けなくても容易に開封することができる。【選択図】図１
2015174660.tif 000002
【特許請求の範囲】
【請求項１】
少なくとも基材層とシーラント層とが積層された包装材を製袋して作製され、少なくとも表裏の面を有する包装袋であって、表面側と裏面側のいずれにも複数の切れ込みで構成される易開封線が設けられており、切れ込みは、線状の本体部分と、該本体部分の端部寄りの箇所に連設される折り返し部分とで構成され、少なくともシーラント層を除き、少なくとも基材層を含むように形成されていることを特徴とする包装袋。
【発明の詳細な説明】
【技術分野】
【０００１】
本発明は、内容物として液体、粘稠体、粉体、顆粒などを収納するのに用いられる包装袋の技術分野に属し、詳しくは、連続した切れ込みによる開封手段を有し、手で所定位置から切り裂いて開封することのできる包装袋に関するものである。
【背景技術】
【０００２】
従来より、開封を容易とするために種々の工夫が施され、また実用化された包装袋が数多く知られている。例えば、スティックタイプの包装袋（ピロー袋）においては、合掌シール部や上下の端部シール部にノッチや切り欠き、あるいは、多数の穿孔を設けることにより、その合掌シール部や端部シール部から開封可能にしたものがある。ところが、合掌シール部から開封する場合には、引き裂き端が包装袋の袋本体に達してからは、無理やりに袋本体を引き裂くことになり、スムーズな引き裂きが困難であるとともに、引き裂き部が綺麗にな切り口にならず、また、端部シール部から開封する場合にも、同様に、引き裂き端が包装袋の袋本体に達してからは、無理やりに袋本体を引き裂くことになり、スムーズな引き裂きが困難であるとともに、極端な場合には途中で切れてしまい、十分な開口部が得られないといった問題がある。
【０００３】
そこで、非シール部のところから袋本体を手でスムーズに引き裂くことができるようにするため、端部シール部に隣接して袋本体を横断する状態でミシン目が設けられた包装袋が知られている（特許文献１参照）。この包装袋を形成する包材は、ミシン目が設けられた包装基材と、その包装基材の内側に積層され、熱融着させて包装袋を形成するヒートシール層とを備えており、製袋されたピロー袋は、包装基材にミシン目が設けられていることにより、所定位置から包装袋を容易に開封することができる。
【先行技術文献】
【特許文献】
【０００４】
【特許文献１】特開平５−３０５９５２号公報
【発明の概要】
【発明が解決しようとする課題】
【０００５】
しかしながら、ミシン目を設けただけでは、開封するときのきっかけがないため開封しにくいという問題がある。該問題に対しては、開封開始箇所にノッチ（切り欠き）を形成することにより解消することができるが、ピロー袋等のように、開封開始箇所にシール部を有さない形態の包装袋の場合は、開封開始箇所にノッチを設けることができない。また、包装袋にノッチを設けた場合、輸送時や商品陳列時等に、ノッチをきっかけとして開封されてしまうという虞もある。
【０００６】
本発明は、上記のような従来の包装袋が有する問題点に鑑みてなされたものであり、その目的とするところは、易開封線を備えた包装袋であって、ノッチを設けなくても開封しやすい包装袋を提供することにある。
【課題を解決するための手段】
【０００７】
上記の目的を達成するため、本発明に係る包装袋は、少なくとも基材層とシーラント層とが積層された包装材を製袋して作製され、少なくとも表裏の面を有する包装袋であって、表面側と裏面側のいずれにも複数の切れ込みで構成される易開封線が設けられており、切れ込みは、線状の本体部分と、該本体部分の端部寄りの箇所に連設される折り返し部分とで構成され、少なくともシーラント層を除き、少なくとも基材層を含むように形成されていることを特徴とする。
【発明の効果】
【０００８】
本発明の包装袋は、開封手段として複数の切れ込みで構成される易開封線を設けるが、その切れ込みを、線状の本体部分と、該本体部分の端部寄りの箇所に連設される折り返し部分とで構成したことにより、開封時に易開封線のところで引き裂こうとすると、易開封線を形成する切れ込みの折り返し部分に応力が集中するため、ノッチを設けなくても容易に開封することができる。
【図面の簡単な説明】
【０００９】
【図１】本発明に係る第１実施形態の包装袋を示す正面図である。
【図２】図１に示す包装袋の背面図である。
【図３】図１および図２に示す包装袋に設けられた切れ込みの拡大図である。
【図４】図１のＡ−Ａ線での包装材の一部を示す拡大断面図である。
【図５】本発明に係る第２実施形態の包装袋を示す斜視説明図である。
【図６】図５に示す包装袋の背面図である。
【図７】切れ込みの変形例を示す拡大図である。
【図８】包装材の変形例を示す説明図である。
【図９】本発明に係る包装袋の変形例を示す正面図である。
【図１０】本発明に係る包装袋の他の変形例を示す正面図である。
【図１１】本発明に係る包装袋の比較形態１を示す正面図である。
【図１２】本発明に係る包装袋の比較形態２を示す正面図である。
【発明を実施するための形態】
【００１０】
次に、本発明の実施形態について図面を参照しながら詳細に説明する。
【００１１】
図１に表側を図２に裏側を示す包装袋１０はピロー袋の形態をしている。この包装袋１０は、包装材の巻取ロールを公知の自動充填機にかけて作製されたもので、包装材における相対する辺が向かい合った状態でシールされることにより上辺から下辺に跨がる合掌シール部１１が裏面側に形成され、この合掌シール部１１が形成された筒状の状態で内容物が充填されにとともに上下の端部シール部１２，１３が形成されている。なお、図１で示されている側（合掌シール部１１が設けられていない側）の面を表面１５、図２で示されている側（合掌シール部１１が設けられている側）の面を裏面１６とする。
【００１２】
この包装袋１０には、上方の端部シール部１２から下側に少し離れて袋本体を横断する状態で、表面側と裏面側のいずれにも複数の切れ込みＣで構成される易開封線が設けられている。これらの切れ込みＣは、図３に隣接する２つを拡大して示すように、線状の本体部分Ｃａと、該本体部分Ｃａの端部寄りの箇所に連設され本体部分Ｃａの一方の端部側から他方の端部側に向かって折り返される線状の折り返し部分Ｃｂとで構成されている。すなわち、第１実施形態は、本体部分Ｃａの一方の端部寄りの箇所に折り返し部分Ｃｂが設けられた形態をしている。
【００１３】
折り返し部分Ｃｂは、本体部分Ｃａが延びる方向において、本体部分Ｃａに含まれるように形成されることが好ましく、本体部分Ｃａの一方の端部から本体部分Ｃａの中心点までに含まれるように形成されることがより好ましい。また、切れ込みＣの並びについては、ｎ＋１番目の切れ込みＣの本体部分Ｃａは、ｎ番目の切れ込みＣの本体部分Ｃａの延長線上に位置するように設けられることが好ましい。例えば、本体部分Ｃａが直線の場合、各本体部分Ｃａは一直線上に位置することが好ましい。
【００１４】
包装袋１０を構成する包装材は、例えば、少なくとも、外側の基材層１、内側のシーラント層２、これらの間に挟まれたバリア層３が積層された積層体とすることができる。図４には、外側から、基材層１、バリア層３、シーラント層２が順に積層された積層体が示されている。なお、図４は、包装袋１０の表面１５を構成する包装材を図示したものである。基材層１にはポリエチレンテレフタレート、ポリプロピレン、ポリアミド等を用いることができる。シーラント層２にはポリエチレンやポリプロピレン等を用いることができる。バリア層３にはアルミニウム箔等の金属箔、金属や金属酸化物や無機物の少なくともいずれかからなる蒸着膜等をポリエチレンテレフタレート等の支持体に設けたもの、エチレン・ビニルアルコール共重合体等を用いることができる。また、基材層１は延伸されていることが好ましく、シーラント層２は延伸されていないことが好ましい。
【００１５】
切れ込みＣは、包装材の基材層１のみに形成されており、シーラント層２および金属箔層３には入れられていない。このような切れ込みＣは、レーザー、例えば炭酸ガスレーザーを使用し、このレーザーを基材層１の表面に照射してその基材層１の表面を融解することによって入れられる。切れ込みＣの形成に用いられるレーザーの種類（波長）は、切れ込みＣを入れる基材層１の樹脂素材に応じて選択される。なお、図３に示すように、折り返し部分Ｃｂを曲線にすることにより、輸送時に袋の上下方向にかかる振動からくる屈曲に対しても耐性が保て、切れ込みＣに起因するピンホールの発生を抑制することができる。
【００１６】
切れ込みＣのサイズについては、切れ込みＣを図３に示す形状、すなわち、本体部分Ｃａを直線、折り返し部分Ｃｂを曲線、例えば、円弧状とし、各本体部分Ｃａが一直線上に位置するように形成する場合、一例として、本体部分Ｃａの幅ｗ１および折り返し部分Ｃｂの幅ｗ２を６０μｍ、折り返し部分Ｃｂの内径ｄを５０μｍ、本体部分Ｃａの長さｌを８ｍｍ、本体部分Ｃａと本体部分Ｃａの間隔ｓを２００μｍとすることができる。
【００１７】
ここで、開封開始作業について説明する。開封作業は、包装袋の端部を両手でつまみ、一方の手と他方の手を反対側にひねる作業である。
【００１８】
まず、図１１に示す比較形態１について説明する。比較形態１は、易開封線が連続線からなる切れ込みＣである以外は第１実施形態と同じものである。易開封線が連続線からなる切れ込みＣであると、開封作業を開始する際に切れ込みＣに均一に応力が加わるので、切れ込みＣに折れ曲がる起点が存在しない。なお、同図において符号５２，５３は端部シール部、符号５５は表面である。次に、図１２に示す比較形態２について説明する。比較形態２は、易開封線が破断線からなる切れ込みＣである、つまり、易開封線が第１実施形態の本体部分Ｃａのみで構成される以外は第１実施形態と同じものである。比較形態２では、開封作業を開始する際に破断線の各線の両端部が折れ曲がる起点となり力が分散する。その結果、比較形態２は比較形態１に比べて開封作業を開始しやすくなる。なお、同図において符号６２，６３は端部シール部、符号６５は表面である。
【００１９】
次に、実施形態１について説明する。第１実施形態は、易開封線が破断線からなる切れ込みＣで構成されるとともに、破断線の各線が折り返し部分Ｃｂを有するため、折り返し部分Ｃｂに応力が集中しやすくなる。その結果、第１実施形態は比較形態２に比べて開封作業を開始しやすくなる。このように、易開封線に沿って引き裂こうとすると、易開封線を形成する切れ込みＣの折り返し部分Ｃｂに応力が集中するので容易に開封を開始することができる。また、引き裂きが進むに伴って、切れ込みＣの折り返し部分Ｃｂのところでパチパチとした手応えが次々とあるので、易開封線に沿って確実に破断できているという実感を持つことができる。
【００２０】
図５と図６にそれぞれ表側と裏側を示す包装袋２０は、図１と図２に示した包装袋１０と同じピロー袋であり、裏側に合掌シール部２１が形成され、上下に端部シール部２２，２３が形成されている。なお、図５で示されている側（合掌シール部２１が設けられていない側）の面を表面２５、図６で示されている側（合掌シール部２１が設けられている側）の面を裏面２６とする。この包装袋２０にも、上方の端部シール部２２から下側に少し離れて袋本体を横断する状態で、表面側と裏面側のいずれにも複数の切れ込みＣで構成される易開封線が設けられているが、これらの切れ込みＣは、線状の本体部分Ｃａと、該本体部分Ｃａの一方の端部寄りの箇所および他方の端部寄りの箇所に連設され対向する端部に向かって折り返される線状の折り返し部分Ｃｂとで構成されている。すなわち、第２実施形態は、本体部分Ｃａの一方の端部寄りの箇所および他方の端部寄りの箇所に折り返し部分Ｃｂが設けられた形態をしている。
【００２１】
この包装袋２０を開封するに際しても、易開封線を挟む位置で袋本体の端部を両手でつまみ、互いに反対側に引っ張るようにして引き裂きを開始する。第２実施形態でも、切れ込みＣが折り返し部分Ｃｂを有するため、第１実施形態と同様に比較形態２と比べて開封作業を開始しやすくすることができる。このように、第２実施形態においても、易開封線を形成する切れ込みＣの折り返し部分Ｃｂに応力が集中するので容易に開封を開始することができるし、また、引き裂きが進むに伴って、切れ込みＣの両端部にある折り返し部分Ｃｂのところでパチパチとした手応えが次々とあるので、易開封線に沿って確実に破断できているという一層の実感を持つことができる。
【００２２】
本発明で使用する切れ込みＣは、上記したように、線状の本体部分Ｃａと、該本体部分Ｃａの端部寄りの位置に連設される折り返し部分Ｃｂとからなる。図７に切れ込みＣの変形例を示す。なお、図示はしていないが、本体部分Ｃａは直線に限らず曲線とすることもできる。
【００２３】
図３に示すように、折り返し部分Ｃｂの終端は、本体部分Ｃａに連設するようにしてもよいし、図７（ａ）に示すように、本体部分Ｃａに連設しないように形成してもよい。また、折り返し部分Ｃｂは、図７（ｂ）に示すように、本体部分Ｃａの端部に連設するようにしてもよい。
【００２４】
折り返し部分Ｃｂは、曲線で構成したものに限らず、図７（ｃ）に示すように直線で構成することができる。また、直線と曲線の少なくともいずれかを組み合わせてもよい。
【００２５】
折り返し部分Ｃｂは、本体部分Ｃａの上側または下側のいずれの側に設けてもよい。すなわち、図３のように本体部分Ｃａの下側に突き出たものに限らず、図７（ｄ）に示すように上側に突き出るように設けてもよい。または、図７（ｂ）に示すように、本体部分Ｃａの上側および下側のどちら側にも突き出るように設けてもよい。
【００２６】
上記のように、折り返し部分Ｃｂは、本体部分Ｃａの一方の端部寄りの箇所に設けてもよいし、本体部分Ｃａの一方の端部寄りの箇所および他方の端部寄りの箇所に設けてもよい。後者の場合、図７（ｅ）のように、一方の折り返し部分Ｃｂを本体部分Ｃａの下側に突き出るように設け、他方の折り返し部分Ｃｂを本体部分Ｃａの上側に突き出るように設けてもよい。
【００２７】
また、折り返し部分Ｃｂを曲線で構成し、折り返し部分Ｃｂの始端を本体部分Ｃａの端部に連設するとともに終端も本体部分Ｃａに連設するように設けてもよい。本体部分Ｃａの端部に角部が無い形状とすることができるため、袋の左右方向においても、切れ込みＣに起因するピンホールの発生を抑制することができる。
【００２８】
また、第２実施形態において、一方の折り返し部分Ｃｂの大きさを他方の折り返し部分Ｃｂと異なるように設けてもよい。例えば、図７（ｇ）に示すように、折り返し部分Ｃｂを円弧状とし、一方の折り返し部分Ｃｂの外径を他方の折り返し部分Ｃｂの外径と異なるようにしてもよい。または、図示しないが、一方の折り返し部分Ｃｂの形状と他方の折り返し部分Ｃｂの形状を異なるようにしてもよい。
【００２９】
本発明の包装袋を構成する包装材は、例えば、図４に示すように、外面から、少なくとも基材層１、金属箔層３、シーラント層２が順に積層された積層体とすることができる。この場合、切れ込みＣは、図示の如く基材層１のみに形成される。また、本発明の包装袋を構成する包装材は、図８に示すように、外面から、少なくとも基材層１、シーラント層２が順に積層された積層体としてもよい。この場合も、切れ込みＣは、基材層１のみに形成される。いずれの包装材でも、炭酸ガスレーザーの種類（波長）を選択し、基材層１の外側からその炭酸ガスレーザーを照射することにより、基材層１のみを融解させ、その基材層１に切れ込みＣを形成することができる。
【００３０】
本発明の包装袋は、上記したピロー袋のほか、三方シール袋、四方シール袋、スタンディングパウチ、サイドガセットパウチなどにすることができる。
【００３１】
図９の包装袋３０は四方シール袋である。この包装袋３０は、重ね合わせた表裏２枚の包装材の所定位置をヒートシールし、左右の側部シール部３１，３２と底部シール部３３を形成したものであり、上部開口から内容物を投入してからヒートシールして上部シール部を形成するようになっている。なお、図９において、表面が符号３５、裏面が符号３６で示されている。そして、この包装袋３０には、上方から所定距離離れたところに袋本体を横断する状態で、表面側と裏面側のいずれにも図３に示す如き本体部分Ｃａと折り返し部分Ｃｂを有する切れ込みＣで構成される易開封線が設けられている。
【００３２】
図１０の包装袋４０はスタンディングパウチである。この包装袋４０は、二つ折りした底部を挟持した状態で表裏２枚の包装材を重ね合わせ、所定位置をヒートシールすることで左右の側部シール部４１，４２と曲線状の底部シール部４３を形成したものであり、上部開口から内容物を投入してからヒートシールして上部シール部を形成するようになっている。なお、図１０において、表面が符号４５、裏面が符号４６で示されている。そして、この包装袋４０にも、上方から所定距離離れたところに袋本体を横断する状態で、表面側と裏面側のいずれにも図３に示す如き本体部分Ｃａと折り返し部分Ｃｂを有する切れ込みＣで構成される易開封線が設けられている。
【００３３】
これらの包装袋３０，４０を開封するに際しては、易開封線を挟む位置で袋本体の端部を両手でつまみ、互いに反対側に引っ張るようにして引き裂きを開始する。すると、易開封線を形成する切れ込みＣの折り返し部分Ｃｂに応力が集中するので容易に開封を開始することができるし、また、引き裂きが進むに伴って、切れ込みＣの端部にある折り返し部分Ｃｂのところでパチパチとした手応えが次々とあるので、易開封線に沿って確実に破断できているという実感を持つことができる。
【００３４】
以上、本発明の実施形態について詳細に説明してきたが、本発明による包装袋は、上記した実施形態に何ら限定されるものではなく、本発明の趣旨を逸脱しない範囲において種々の変更が可能である。
【符号の説明】
【００３５】
１  外側層
２  シーラント層
３  金属箔層
１０  包装袋（ピロー袋）
１１  合掌シール部
１２，１３  端部シール部
１５  表面
１６  裏面
２０  包装袋（ピロー袋）
２１  合掌シール部
２２，２３  端部シール部
２５  表面
２６  裏面
３０  包装袋（四方シール袋）
３１，３２  側部シール部
３３  底部シール部
３５  表面
３６  裏面
４０  包装袋（スタンディングパウチ）
４１，４２  側部シール部
４３  底部シール部
４５  表面
４６  裏面
５０  包装袋（ピロー袋）
５２，５３  端部シール部
５５  表面
６０  包装袋（ピロー袋）
６２，６３  端部シール部
６５  表面
Ｃ  切れ込み
Ｃａ  本体部分
Ｃｂ  折り返し部分
【図１】
2015174660.tif 000003
【図２】
2015174660.tif 000004
【図３】
2015174660.tif 000005
【図４】
2015174660.tif 000006
【図５】
2015174660.tif 000007
【図６】
2015174660.tif 000008
【図７】
2015174660.tif 000009
【図８】
2015174660.tif 000010
【図９】
2015174660.tif 000011
【図１０】
2015174660.tif 000012
【図１１】
2015174660.tif 000013
【図１２】
2015174660.tif 000014